(57)【要約】【課題】キートップのどの部分を押圧しても確実にスイッチをスムーズにオンすることができ、しかもキートップ押圧時の操作感触を押圧領域（位置）毎に常に同一の安定した良好な感触にすることができるキートップを提供すること。【解決手段】下面にスイッチ押圧部１１５，１１７，１１９を設けてなるキートップ８１，８３，８５である。キートップ８１，８３，８５のスイッチ押圧部１１５，１１７，１１９を挟んだ両側の外周辺部分に、キートップ８１，８３，８５を覆うカバー１０に直接又はキートップカバー４０を介して間接に当接してキートップ８１，８３，８５の浮き上がりを防止する浮き上がり防止部９９，１０１，１０３，１０５，１０７，１０９，１１１，１１３を設ける。【選択図】図４
2014127371.tif 000002
【特許請求の範囲】
【請求項１】
下面にスイッチ押圧部を設けてなるキートップであって、
前記キートップの前記スイッチ押圧部を挟んだ両側の外周辺部分に、前記キートップを覆うカバーに直接又は他の部材を介して間接に当接してキートップの浮き上がりを防止する浮き上がり防止部を、その周囲のキートップの外周辺よりも突出して設けたことを特徴とするキートップ。
【請求項２】
請求項１に記載のキートップであって、
前記キートップの前記浮き上がり防止部を設けた以外の部分の外周辺は、キートップが揺動した際に前記カバーに当接しない形状寸法に形成されていることを特徴とするキートップ。
【請求項３】
請求項１又は２に記載のキートップと、前記キートップを露出するキートップ露出部を有するカバーと、前記キートップのスイッチ押圧部に対向する位置に設置されるスイッチとを具備し、
前記カバーのキートップ露出部周囲の下面側に、前記キートップの浮き上がり防止部を直接又は他の部材を介して間接に当接させる当接部を設けたことを特徴とする押圧スイッチ装置。
【請求項４】
請求項１に記載のキートップであって、
前記キートップは弧状に湾曲した形状であり、このキートップの左右両端の外周辺部分に前記浮き上がり防止部を設けたことを特徴とするキートップ。
【請求項５】
請求項１に記載のキートップであって、
前記キートップの少なくとも外周辺の一部は、前記スイッチ押圧部から見て外方向に向かって凸状に突出する形状であり、且つこの凸状に突出した外周辺の前記スイッチ押圧部を挟んだ左右両側部分に前記浮き上がり防止部を設けたことを特徴とするキートップ。
【発明の詳細な説明】
【技術分野】
【０００１】
本発明は、スイッチを押圧操作するのに用いるキートップに関するものである。
【背景技術】
【０００２】
従来、下面に設けたスイッチ押圧部によってスイッチをオンオフ操作する構造のキートップが利用されている（例えば特許文献１参照）。
【先行技術文献】
【特許文献】
【０００３】
【特許文献１】特開２００４−１８５８３３号公報
【発明の概要】
【発明が解決しようとする課題】
【０００４】
即ち上記構造のキートップは、これを押圧すると下降し、その下面に設けたスイッチ押圧部によってスイッチがオンされる。しかしながら、キートップのスイッチ押圧部を挟んだその左右両側部分が長尺に形成されている場合（例えば長尺の長方形状のキートップで、スイッチ押圧部が中央下面にあるような場合）、このキートップの長尺の両端近傍部分を押圧した際に、スイッチ押圧部にスイッチ方向の力が印加されず、スイッチ上に当接しているスイッチ押圧部を支点にしてキートップがシーソー状に回転し、キートップの押圧した端部の反対側の端部が上方向に持ち上がり、結局スイッチがオンできなくなるという問題があった。
【０００５】
一方、例えばキートップの外周下部全体からつば部を突出しておき、このキートップをその上に被せるカバーに設けたキートップ露出部から露出させると共に、前記つば部をカバーの下面の前記キートップ露出部周囲の部分の下側に位置させる構造のキートップがある。このキートップの場合、その一方の端部を押圧した際に持ち上がろうとする側のつば部がその上に位置するカバーの下面に当接するので、キートップは持ち上がらず、持ち上がろうとしてカバーに当接しているつば部を支点にしてスイッチ押圧部が下降してスイッチがオンできる。つまり前述のようにスイッチがオンできないという不都合は生じない。しかしつば部はキートップの外周の略全体に設けられるので、キートップの略同じ位置（領域）を押圧しても、押圧位置や押圧方向の僅かな相違によってキートップの持ち上がる状態が多少異なり、持ち上がろうとするつば部の少しずつ異なる部分が支点になり、キートップを押圧するたびにその操作感触が少しずつ異なってしまい、安定した操作感触が得られないという問題があった。
【０００６】
本発明は上述の点に鑑みてなされたものでありその目的は、キートップのどの部分を押圧しても確実にスイッチをスムーズにオンすることができ、しかもキートップ押圧時の操作感触を押圧領域毎に常に同一の安定した良好な感触にすることができるキートップを提供することにある。
【課題を解決するための手段】
【０００７】
本発明は、下面にスイッチ押圧部を設けてなるキートップであって、前記キートップの前記スイッチ押圧部を挟んだ両側の外周辺部分に、前記キートップを覆うカバーに直接又は他の部材を介して間接に当接してキートップの浮き上がりを防止する浮き上がり防止部を、その周囲のキートップの外周辺よりも突出して設けている。
このように構成すれば、キートップのスイッチ押圧部周辺の上面を押圧した際はキートップ全体がそのまま下降してスイッチがオンする。一方キートップのスイッチ押圧部から離れた端部近傍の上面を押圧した際は、キートップはスイッチ上に当接しているスイッチ押圧部を支点として回動しようとするが、持ち上がろうとする側の浮き上がり防止部がカバーに当接してその上昇が阻止される。このため持ち上がろうとしてカバーに当接している浮き上がり防止部を支点としてキートップが下降し、スイッチをオンすることができる。浮き上がり防止部は、つば部のようにキートップの外周全体に設けるのではなく、所望の位置に設けられるので、キートップの押圧位置によって支点となる浮き上がり防止部が特定される。このためキートップの略同じ領域（位置）を押圧した際に、力のかかり具合の相違によってキートップの持ち上がる状態が多少異なっても、常に同一の浮き上がり防止部が支点となるので、キートップのスムーズな下降動作を維持できるばかりか、同じ領域であれば、キートップを押圧する毎の操作感触が同一になり、安定した操作感触が得られる。
【０００８】
また前記キートップの前記浮き上がり防止部を設けた以外の部分の外周辺は、キートップが揺動した際に前記カバーに当接しない形状寸法に形成されていることが好ましい。これによってキートップが揺動した際は必ず何れかの浮き上がり防止部が支点としてカバーに当接し、確実に浮き上がり防止部を設けたことによる上記効果が発揮できる。
【０００９】
また本発明は、前記キートップと、前記キートップを露出するキートップ露出部を有するカバーと、前記キートップのスイッチ押圧部に対向する位置に設置されるスイッチとを具備し、前記カバーのキートップ露出部周囲の下面側に、前記キートップの浮き上がり防止部を直接又は他の部材を介して間接に当接させる当接部を設けることで押圧スイッチ装置を構成することが好ましい。これによって本発明にかかるキートップを備えた押圧スイッチ装置を構成することができる。
【００１０】
また前記キートップは弧状に湾曲した形状であり、このキートップの左右両端の外周辺部分に前記浮き上がり防止部を設けることが好ましい。これによって弧状の形状のキートップの一方の端部近傍部分を押圧した際、常に押圧した反対側の端部に設けた浮き上がり防止部が支点としてカバーに当接するので、キートップのスムーズな下降動作を維持できるばかりか、キートップを押圧する毎の操作感触が同一になり、安定した操作感触が得られる。
【００１１】
また前記キートップの少なくとも外周辺の一部は、前記スイッチ押圧部から見て外方向に向かって凸状に突出する形状であり、且つこの凸状に突出した外周辺の前記スイッチ押圧部を挟んだ左右両側部分に前記浮き上がり防止部を設けることが好ましい。このように凸形状の外周辺を含むキートップの場合であって、もしこの凸形状の部分全体につば部を設けると、この凸形状の外周辺の部分が上昇しようとした際に、わずかな傾き状態の相違によって、キートップの持ち上がる状態が少しずつ異なり、持ち上がろうとするつば部の少しずつ異なる部分が支点となってゆく。これによってキートップを押圧するたびにその操作感触が異なってしまい、安定した操作感触が得られない。これに対してこの発明によれば、凸形状の外周辺の部分が上昇しようとした際に、傾き状態が多少相違しても、常に同一の浮き上がり防止部が支点となるので、キートップのスムーズな下降動作を維持できるばかりか、キートップを押圧する毎の操作感触が同一になり、安定した操作感触が得られる。
【発明の効果】
【００１２】
本発明によれば、キートップのどの部分を押圧しても確実にスイッチをスムーズにオンすることができ、しかもキートップ押圧時の操作感触を押圧領域毎に常に同一の安定した良好な感触にすることができる。
【図面の簡単な説明】
【００１３】
【図１】キートップ８１，８３，８５を用いて構成された押圧スイッチ装置１の斜視図である。
【図２】押圧スイッチ装置１の分解斜視図である。
【図３】押圧スイッチ装置１を下面側から見た分解斜視図（但し、カバー１０の記載を省略）である。
【図４】キートップ体８０の拡大平面図である。
【図５】図１のＡ−Ａ概略断面図である。
【発明を実施するための形態】
【００１４】
以下、本発明の実施形態を図面を参照して詳細に説明する。図１は本発明の１実施形態にかかるキートップ８１，８３，８５を用いて構成された押圧スイッチ装置１の斜視図、図２は押圧スイッチ装置１の分解斜視図、図３は押圧スイッチ装置１を下面側から見た分解斜視図（但し、カバー１０の記載を省略）、図４はキートップ体８０の拡大平面図、図５は図１のＡ−Ａ概略断面図である。これらの図に示すように押圧スイッチ装置１は、基台１５０上に回路基板（以下「フレキシブル回路基板」という）１３０を載置し、その上にキートップ体８０とキートップカバー４０を載置し、さらにその上にカバー１０を被せて構成されている。なお以下の説明において、「上」とは回路基板１３０からキートップ体８０を見る方法をいい、「下」とはその反対方向をいうものとする。
【００１５】
カバー１０は合成樹脂を一体成形することによって構成されており、この例では外形形状が円形で、その上面には所定幅で円弧状に貫通する開口からなる３つのキートップ露出部１１，１３，１５が全体としてリングを描くように同心円状に形成して構成されている。３つのキートップ露出部の内、１つのキートップ露出部１１は円弧の中心から見て約１８０°の角度、つまり略半円弧状に形成されており、他の２つのキートップ露出部１３，１５は円弧の中心から見て約９０°の角度、つまり１／４円弧状に形成されている。カバー１０の下面の中央部分と前記キートップ露出部１１，１３，１５の周囲には、下方向に向かって突出する複数本（５本）の小突起状の取付部１７が形成されている。カバー１０の下面の各キートップ露出部１１，１３，１５の周囲の部分であって、下記するキートップ８１，８３，８５の各浮き上がり防止部９９，１０１，１０３，１０５，１０７，１０９，１１１，１１３に対向する部分を当接部１９としている。
【００１６】
キートップカバー４０は、弾性ゴムを略円形の薄板状に一体成形して構成されている。キートップカバー４０の中央には円形の開口４１が形成され、その周囲を囲むように複数（３つ）の上方向に所定幅の円弧状に凸となるカバー部４３，４５，４７を形成している。各カバー部４３，４５，４７は、その下面側が凹部になっていて、それぞれ下記するキートップ８１，８３，８５の上部を略ぴったり収納する形状に形成されている。各カバー部４３，４５，４７の下面には下方向に向かって突出する小突起状の位置決め突起４９，５１，５３が形成されている。各カバー部４３，４５，４７の下面側の各凹部間を仕切る部分には、下記する各キートップ８１，８３，８５の浮き上がり防止部９９，１０１，１０３，１０５，１０７，１０９の上面を当接する浮き上がり防止部当接面５５，５７，５９，６１，６３，６５が形成されている。さらにカバー部４３の下面側の凹部の外側の円弧状の内周部分の２か所であって、下記するキートップ８１の各浮き上がり防止部１１１，１１３に対向する位置には、凹状に凹んで浮き上がり防止部１１１，１１３を略ぴったり収納する矩形状の浮き上がり防止部収納部６７，６９が形成されている。またキートップカバー４０上面の外周近傍を囲む部分にはリング状で上方向に突出する防水用のカバー当接部７１が形成されている。
【００１７】
キートップ体８０は合成樹脂の一体成形品であり、複数（３つ）のキートップ８１，８３，８５を、それぞれ連結部８７，８９，９１によって中央のキートップ支持台９２に連結して構成されている。各キートップ８１，８３，８５は何れも一定幅を有する円弧形状であり、円弧の中心から見て同心円状に配置されている。１つのキートップ８１は円弧の中心から見て約１８０°の角度（下記する浮き上がり防止部９９及び１０１まで入れた角度）、つまり略半円状に形成されており、他の２つのキートップ８３，８５は円弧の中心から見て約９０°の角度（下記する浮き上がり防止部１０３及び１０５，１０７及び１０９まで入れた角度）、つまり略１／４円弧状に形成されている。各キートップ８１，８３，８５の所定位置（前記キートップカバー４０の各位置決め突起４９，５１，５３に対向する位置）には、各位置決め突起４９，５１，５３を挿入する小孔からなる位置決め部９３，９５，９７が形成されている。
【００１８】
各キートップ８１，８３，８５の長手方向の両端部には、それぞれ矩形薄板状の浮き上がり防止部９９，１０１，１０３，１０５，１０７，１０９がそれぞれの外周辺から突出して設けられている。またキートップ８１の外側の円弧状の外周辺の左右両側からも、それぞれ矩形薄板状の浮き上がり防止部１１１，１１３が突出して設けられている。各浮き上がり防止部９９〜１１３は、各キートップ８１，８３，８５の下面と略同一の高さ（その下面が各キートップ８１，８３，８５の下面より若干下に張り出す高さ）に配置されている。キートップ８１の下面中央の内周側には、下方向に向かって突出する小突起状のスイッチ押圧部１１５が形成されている。またキートップ８３，８５の下面中央にも、下方向に向かって突出する小突起状のスイッチ押圧部１１７，１１９が形成されている。
【００１９】
ここで各キートップ８１，８３，８５に設けた各スイッチ押圧部１１５，１１７，１１９と各浮き上がり防止部９９〜１１３の位置関係について、主として図４を用いて説明する。即ちキートップ８１の一端近傍部分ａ２とキートップ８１のスイッチ押圧部１１５とを結ぶ直線Ｌ１を、一端近傍部分ａ２からスイッチ押圧部１１５側に向かって延ばしてキートップ８１の外周辺に交差する位置の近傍に、浮き上がり防止部１１１が設けられている。またキートップ８１の中央部分ａ１と一端近傍部分ａ２の間の中間部分ａ３とキートップ８１のスイッチ押圧部１１５とを結ぶ直線Ｌ２を、中間部分ａ３からスイッチ押圧部１１５側に向かって延ばしてキートップ８１の外周辺に交差する位置の左右両側の略均等に離れた近傍位置に、浮き上がり防止部９９と浮き上がり防止部１１１が設けられている。言い換えれば、スイッチ押圧部１１５と浮き上がり防止部９９，１１１を上記位置関係とするために、スイッチ押圧部１１５の位置を円弧状のキートップ８１の内側の外周辺近傍位置に位置させている。浮き上がり防止部１０１，１１３についても同様なのでそれらの説明は省略する。一方、キートップ８３の一端近傍部分ａ５とキートップ８３のスイッチ押圧部１１７とを結ぶ直線Ｌ３を、一端近傍部分ａ５からスイッチ押圧部１１７側に向かって延ばしてキートップ８３の外周辺に交差する位置の近傍に、浮き上がり防止部１０３が設けられている。浮き上がり防止部１０５，１０７，１０９についても同様なのでそれらの説明は省略する。なおキートップ８１について別の見方で言えば、キートップ８１のスイッチ押圧部１１５と一対の浮き上がり防止部１１１，１１３は、それらの一部が１本の直線Ｌ４中に位置している。
【００２０】
次に各連結部８７，８９，９１は薄板状に形成されることで上下方向に撓むように構成されている。各連結部８７，８９，９１の一端は、それぞれキートップ８１，８３，８５の内周側の外周辺の中央、即ち各スイッチ押圧部１１５，１１７，１１９の近傍位置に接続されている。一方各連結部８７，８９，９１の他端は、略等間隔にキートップ支持台９２の外周側面に連結されている。
【００２１】
キートップ支持台９２は略円板状に形成され、その中央には前記カバー１０中央の取付部１７を挿入する位置決め孔１２１が形成され、またその下面の所定位置（３か所）からは小突起からなる基板取付部１２３が突出している。
【００２２】
フレキシブル回路基板１３０は可撓性を有する合成樹脂フイルム上の前記各キートップ８１，８３，８５のスイッチ押圧部１１５，１１７，１１９に対向する位置に、それぞれスイッチ１３１，１３３，１３５を設置して構成されている。各スイッチ１３１，１３３，１３５は、フレキシブル回路基板１３０上に形成したスイッチ接点パターン上に、反転板を取り付けて構成されている。フレキシブル回路基板１３０中央の前記キートップ体８０の位置決め孔１２１に対向する位置には、前記カバー１０中央の取付部１７を挿入する被取付部１４１が形成され、被取付部１４１の周囲３か所には小孔からなり前記キートップ体８０の各基板取付部１２３を挿入するキートップ体取付孔１３９が形成されている。またフレキシブル回路基板１３０の外周近傍の前記カバー１０の各取付部１７に対向する位置にも貫通孔からなる被取付部１４１が形成されている。また前記キートップ８１，８３，８５の各浮き上がり防止部９９〜１１３に対向する位置（８箇所）には、それぞれこれら浮き上がり防止部９９〜１１３を挿入できる寸法の矩形状の開口１４３が形成されている。
【００２３】
基台１５０は金属板や樹脂成形板等の硬質板で構成され、前記フレキシブル回路基板１３０のキートップ体取付孔１３９に対向する位置に同一形状のキートップ体取付孔１５５が形成され、フレキシブル回路基板１３０の各被取付部１４１に対向する位置に同一形状の被取付部１５７が形成され、フレキシブル回路基板１３０の開口１４３に対向する位置に同一形状の開口１５９が形成されている。なおフレキシブル回路基板１３０を硬質基板で構成する場合は、この基台１５０を省略しても良い。
【００２４】
次に押圧スイッチ装置１を組み立てるには、キートップ体８０の上にキートップカバー４０を被せて接着材によって接着し、一体化する。このとき各キートップ８１，８３，８５の上部は、それぞれキートップカバー４０の各カバー部４３，４５，４７下面側の凹部内に挿入され、同時に各位置決め突起４９，５１，５３が位置決め部９３，９５，９７に挿入される。さらにこのとき図５にもその一部を示すように、キートップ８１，８３，８５の各浮き上がり防止部９９，１０１，１０３，１０５，１０７，１０９，１１１，１１３は、それぞれキートップカバー４０の各浮き上がり防止部当接面５５，５７，５９，６１，６３，６５と浮き上がり防止部収納部６７，６９の底面（浮き上がり防止部当接面）とに当接している。
【００２５】
次に前記キートップカバー４０を取り付けたキートップ体８０の下側に、フレキシブル回路基板１３０と基台１５０とを設置し、その際キートップ体８０の各基板取付部１２３をフレキシブル回路基板１３０と取付台１５０の各キートップ体取付孔１３９，１５５に挿入し、基台１５０の下面側に突出した各基板取付部１２３の先端を熱かしめする。このとき、各キートップ８１，８３，８５のスイッチ押圧部１１５，１１７，１１９は、フレキシブル回路基板１３０の各スイッチ１３１，１３３，１３５上に当接又は隙間を介して対向する。同時に各キートップ８１，８３，８５の各浮き上がり防止部９９〜１１３の下側に隙間を介してフレキシブル回路基板１３０と基台１５０の各開口１４３，１５９が位置する。
【００２６】
次に前記キートップカバー４０の上面側からカバー１０を被せ、その際カバー１０の各取付部１７をフレキシブル回路基板１３０と基台１５０の各被取付部１４１，１５７に挿入する。このとき中央の取付部１７は、キートップ体８０中央の位置決め孔１２１を貫通している。そして基台１５０の下面側に突出した各取付部１７の先端を熱かしめすれば、押圧スイッチ装置１の組み立てが完了する。なお上記組立手順はその一例であり、他の各種異なる組立手順を用いて組み立てても良いことはいうまでもない。
【００２７】
以上のようにして組み立てられた押圧スイッチ装置１において、図５にその一部を示すように、キートップカバー４０の各浮き上がり防止部当接面５５〜６５の反対側の面（上面）及び浮き上がり防止部収納部６７，６９の底面（浮き上がり防止部当接面）の反対側の面（上面）は、カバー１０下面の当接部１９に当接している。つまりキートップ８１，８３，８５の各浮き上がり防止部９９〜１１３は何れも、キートップカバー４０を介して間接にカバー１０の下面に当接している。
【００２８】
次に押圧スイッチ装置１の動作を説明する。なお、キートップカバー４０は弾性ゴムからなる薄いシートであり柔軟性があり、防水及び防滴のために設置されているものなので、押圧スイッチ装置１の動作自体には直接関係しないので、その変形状態などについての説明は省略する。
【００２９】
各キートップ８１，８３，８５上を覆うキートップカバー４０のカバー部４３，４５，４７を押圧すると、キートップ８１，８３，８５が下降し、それらのスイッチ押圧部１１５，１１７，１１９がそれらに対向するスイッチ１３１，１３３，１３５を押圧し、反転板を反転してオンする。前記押圧を解除すると反転板は元の形状に自動復帰してキートップ８１，８３，８５は上昇し、スイッチ１３１，１３３，１３５はオフする。ここで各キートップ８１，８３，８５は、それらを押圧する場所（領域）に応じてキートップ８１，８３，８５の動作に相違があるので、以下この点について詳細に説明する。なお、キートップ８３とキートップ８５は同一形状なので、キートップ８５の動作説明は省略する。
【００３０】
まず図４において、キートップ８１の中央部分ａ１をキートップカバー４０の上から押圧すると、キートップ８１全体が平行移動するように下降してスイッチ１３１がオンする。次にキートップ８１の一端近傍部分ａ２をキートップカバー４０の上から押圧すると、スイッチ押圧部１１５を支点にしてキートップ８１が傾こうとするが、その際、この一端近傍部分ａ２とスイッチ押圧部１１５を結ぶ直線上にある（またはその直線に近い位置にある）浮き上がり防止部１１１がキートップカバー４０を介してカバー１０の下面に当接しているので、この浮き上がり防止部１１１を支点にしてキートップ８１は下降（揺動）し、これによってスイッチ押圧部１１５がスイッチ１３１を押圧してこれをオンする。次にキートップ８１の中央部分ａ１と一端部近傍分ａ２の間の中間部分ａ３をキートップカバー４０の上から押圧すると、スイッチ押圧部１１５を支点にしてキートップ８１が傾こうとするが、その際、この中央部分ａ３とスイッチ押圧部１１５を結ぶ直線上にある（またはその直線に近い位置にある）２つの浮き上がり防止部１１１，９９がキートップカバー４０を介してカバー１０の下面に当接しているので、これらの浮き上がり防止部１１１、９９を２つの支点にしてキートップ８１は下降（揺動）し、これによってスイッチ押圧部１１５がスイッチ１３１を押圧してこれをオンする。
【００３１】
つまり、キートップ８１の中央付近の領域を押圧するとキートップ８１全体が下降してスイッチがオンし、キートップ８１の両端部付近の領域を押圧すると浮き上がり防止部１１１又は１１３を支点としてキートップ８１が下降（揺動）してスイッチがオンし、キートップ８１の中央と両端部間の中間部分の領域を押圧すると２つの浮き上がり防止部１１１及び９９又は１１３及び１０１を支点としてキートップ８１が下降（揺動）してスイッチがオンする。
【００３２】
以上説明したように、キートップ８１の浮き上がり防止部９９，１０１，１１１，１１３は、つば部のようにキートップ８１の外周全体に設けるのではなく、所望の位置に設けられるので、キートップ８１を押圧する押圧位置に応じて、支点となる浮き上がり防止部９９，１０１，１１１，１１３が特定される。このためキートップ８１の略同じ領域（位置）を押圧した際に、力のかかり具合の相違等によってキートップ８１の持ち上がる状態が多少異なっても、常に同一の浮き上がり防止部９９，１０１，１１１，１１３が支点となる。このためキートップ８１のスムーズな下降動作を維持できるばかりか、同じ領域であれば、キートップ８１を押圧する毎の操作感触が同一になり、安定した操作感触が得られる。
【００３３】
次に図４において、キートップ８３の中央部分ａ４をキートップカバー４０の上から押圧すると、キートップ８１全体が平行移動するように下降してスイッチ１３３がオンする。次にキートップ８３の一端近傍部分ａ５をキートップカバー４０の上から押圧すると、スイッチ押圧部１１７を支点にしてキートップ８３が傾こうとするが、その際、この一端近傍部分ａ５とスイッチ押圧部１１７を結ぶ直線上にある（またはその直線に最も近い位置にある）浮き上がり防止部１０３がキートップカバー４０を介してカバー１０の下面に当接しているので、この浮き上がり防止部１０３を支点にしてキートップ８３は下降（揺動）し、これによってスイッチ押圧部１１７がスイッチ１３３を押圧してこれをオンする。
【００３４】
つまりキートップ８３の場合も、その中央付近の領域を押圧するとキートップ８３全体が下降してスイッチ１３３がオンでき、キートップ８３の両端部付近の領域を押圧すると浮き上がり防止部１０３又は１０５を支点としてキートップ８３が下降（揺動）してスイッチ１３３がオンできる。
【００３５】
以上説明したように、キートップ８３の浮き上がり防止部１０３，１０５も、つば部のようにキートップ８３の外周全体に設けるのではなく、所望の位置に設けられるので、キートップ８３を押圧する押圧位置に応じて、支点となる浮き上がり防止部１０３，１０５が特定される。このためキートップ８３の略同じ領域（位置）を押圧した際に、力のかかり具合の相違等によってキートップ８３の持ち上がる状態が多少異なっても、常に同一の浮き上がり防止部１０３，１０５が支点となる。このためキートップ８３のスムーズな下降動作を維持できるばかりか、同じ領域であれば、キートップ８３を押圧する毎の操作感触が同一になり、安定した操作感触が得られる。
【００３６】
また上記押圧スイッチ装置１においては、キートップ８１，８３，８５の浮き上がり防止部９９〜１１３を設けた以外の部分の外周辺を、キートップ８１，８３，８５が揺動した際にカバー１０に当接しない形状寸法に形成している（連結部８７，８９，９１は外周辺ではないが、これらも当接しない）。これによってキートップ８１，８３，８５が揺動した際は必ず何れかの浮き上がり防止部９９〜１１３が支点としてカバー１０に当接し、確実に浮き上がり防止部９９〜１１３を設けたことによる上記効果が発揮される。
【００３７】
特に上記キートップ８３，８５は弧状に湾曲した形状であり、且つこれらキートップ８３，８５の左右両端の外周辺部分に浮き上がり防止部１０３〜１０９を設けたので、弧状の形状のキートップ８３，８５の一方の端部近傍部分を押圧した際、常に押圧した反対側の端部に設けた浮き上がり防止部１０３〜１０９が支点としてカバー１０に当接するので、キートップ８３，８５のスムーズな下降動作を維持できるばかりか、キートップ８３，８５を押圧する毎の操作感触が同一になり、安定した操作感触が得られる。
【００３８】
さらに上記キートップ８１は、スイッチ押圧部１１５から見て外方向に向かって凸状に突出する外側の外周辺のスイッチ押圧部１１５を挟んだ左右両側部分に浮き上がり防止部１１１，１１３を設けている。即ちもしこの凸形状の外周辺全体につば部を設けると、この凸形状の外周辺の部分が上昇しようとした際に、わずかな傾き状態の相違によって、キートップ８１の持ち上がる状態が少しずつ異なり、持ち上がろうとするつば部の少しずつ異なる部分が支点となってゆき、これによってキートップ８１を押圧するたびにその操作感触が微妙に異なってしまい、安定した操作感触が得られない。これに対してこのキートップ８１によれば、凸形状の外周辺の部分が上昇しようとした際に、傾き状態が多少相違しても、常に同一の浮き上がり防止部１１１又は１１３が支点となるので、キートップ８１のスムーズな下降動作を維持できるばかりか、キートップ８１を押圧する毎の操作感触が同一になり、安定した操作感触が得られる。
【００３９】
また上記押圧スイッチ装置１においては、各キートップ８１，８３，８５を何れかの浮き上がり防止部９９〜１１３を支点にして揺動するように下降させる際に、下降する側の浮き上がり防止部９９〜１１３の下部は、フレキシブル回路基板１３０の開口１４３と、基台１５０の開口１５９に挿入される。これによって押圧スイッチ装置１の薄型化を図ることができる（キートップの外周全体につば部を設けた場合は、このような開口を設けることはできない）。言い換えれば、各キートップ８１，８３，８５のストロークを大きくすることができる。さらに言い換えれば、各浮き上がり防止部９９〜１１３の厚みを厚くでき、強度をより強くすることができる。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記例では各キートップ８１，８３，８５に連結部８７，８９，９１を連結してキートップ支持台９２で一体成形品としている。これによって１回の成形によって３つのキートップ８１，８３，８５を同時に製造できるばかりか、押圧スイッチ装置１の組み立て作業が容易に行えるようになる。しかし各キートップ８１，８３，８５はそれぞれ別々の個品として構成しても良い。この場合、もちろん連結部８７，８９，９１とキートップ支持台９２は不要になる。
【００４１】
上記例では、キートップ８１、８３，８５を円弧状に形成したが、直線状、円状、楕円状、半円状、多角形状等、各種変形が可能である。そして浮き上がり防止部は、要はキートップのスイッチ押圧部を挟んだ両側の外周辺部分に設けるものであればよい。
【００４２】
また上記例では、キートップ８１、８３，８５の浮き上がり防止部９９〜１１３の上面とカバー１０の当接部１９の間にキートップカバー４０を介在したが、キートップカバー４０を省略して、前記浮き上がり防止部９９〜１１３の上面と当接部１９を直接当接（または隙間を設けて対向）させても良い。
【００４３】
また上記キートップ８１では、円弧状に形成されたキートップ８１の円弧状の外側の外周辺に浮き上がり防止部１１１，１１３を設けた例を示しているが、本発明はこの形状に限られず、少なくとも外周辺の一部がスイッチ押圧部から見て外方向に向かって凸状に突出する形状であり、且つこの凸状に突出した外周辺の前記スイッチ押圧部を挟んだ左右両側部分に前記浮き上がり防止部を設けるものであればよい。つまり浮き上がり防止部１１１，１１３を設けるキートップの形状は、円弧状に限らず、半円形状や三角形状等であっても良い。
【符号の説明】
【００４４】
１  押圧スイッチ装置
１０  カバー
１１，１３，１５  キートップ露出部
１９  当接部
４０  キートップカバー
８０  キートップ体
８１，８３，８５  キートップ
９９，１０１，１０３，１０５，１０７，１０９，１１１，１１３  浮き上がり防止部
１１５，１１７，１１９  スイッチ押圧部
１３０  フレキシブル回路基板（回路基板）
１３１，１３３，１３５  スイッチ
１５０  基台
【図１】
2014127371.tif 000003
【図２】
2014127371.tif 000004
【図３】
2014127371.tif 000005
【図４】
2014127371.tif 000006
【図５】
2014127371.tif 000007